(57)【要約】      （修正有）【課題】  従来の布団バサミは、三日月型で太く、バネが強力の為、使用時に大きな力が必要である。又、強く引っ張るとバネの固定部分等も潰れる。老人、子供、力の弱い人、には不向きである。又一本で留めるのは無理で二本ないし三本を必要とし、手間が余分に掛かる。【解決手段】うかんぶり型形状の頂点は四角形で底辺がなく中央が空洞で、外枠の枠と一体をなし、うかんぶり形の内側に、二本並列に並んで固定された軸にはバネを巻きつけ、先端は船型を縦にした表面の平面に無数の突起物を設け、角を斜円状を作っている。その型は対にも同じように出来ている。その板はバネの力によって、板と板の間に物を挟む事ができ、両板は挟む物の厚さに応じて左右に移動が出来る。外枠に穴が付いていて，バネの力によりバネを巻いている横軸がその穴を通って横にある程度はみでる形状になっている。【選択図】  図１
2006334338.tif 000002
【特許請求の範囲】
【請求項１】
立体式布団鋏は、うかんぶり型形状をしており、その頂点には四角形で底辺がなく中央が空洞になっており、外枠の枠と一体をなして、長方形のうかんぶり形の両側の枠の内側に、バネを巻き込む軸棒が間隔を置いて横に二本並列に並んでいて、、各軸には大きさ、太さ、強さ、厚さ、に対応できるバネを巻きつけおり、その先端には船型を縦にした表面の平面に無数の突起物のある、ある程度の厚みを持った板があり、その下部には布団を挟み易くするために角に必要な大きさの・斜円状を作っている。その型は対にも同じように出来ている。その板はバネの力によりて、板と板の間に物を挟む事ができ、両板は挟む物の厚さに応じて左右に移動が出来る。外枠に穴が付いていて，バネの力によりバネを巻いている横軸がその穴を通って横にある程度はみでる形状になっている。バネの全体の大きさ、厚さ、太さ、重さによりバネの強弱は一般的に使用可能な物で出来ている。握り手の中央の空洞は握り易く、又、それを利用して、物に掛けて置く事も出来る。握り手にはバネをまいた軸と連結をなしその先端には逆三角形弁を持ち、握り手を下へ押す事により弁が下へさがり両側の板の間に入り必要な広さの幅まで広げる。開いた板はものを挟んいる、握り手を離すと弁は元の位置に戻る
【発明の詳細な説明】
【技術分野】
【０００１】立体式布団鋏は、うかんぶり型形状をしており、その頂点には四角形で底辺がなく中央が空洞になっており、外枠の枠と一体をなして、長方形のうかんぶり形の両側の枠の内側に、バネを巻き込む軸棒が間隔を置いて横に二本並列に並んで固定され、各軸には大きさ、太さ、強さ、厚さ、に対応できるバネを巻きつけおり、その先端には船型を縦にした表面の平面に無数の突起物のある、ある程度の厚みを持った板があり、その下部には布団を挟み易くするために角に必要な大きさの・斜円状を作っている。その型は対にも同じように出来ている。その板はバネの力によって、板と板の間に物を挟む事ができ、両板は挟む物の厚さに応じて左右に移動が出来る。外枠に穴が付いていて，バネの力によりバネを巻いている横軸がその穴を通って横にある程度はみでる形状になっている。バネの全体の大きさ、厚さ、太さ、重さによりバネの強弱は一般的に使用可能な物で出来ている。握り手の中央の空洞は握り易く、又、それを利用して、物に掛けて置く事も出来る
【背景技術】
【０００２】市場に出回っている布団バサミは、三日月型をした物で、太くて，バネが強力の為、布団を挟むのに強く力を入れて、それに相当する幅に広げるのにそれなりの力が必要である。又、余り強く引っ張るとバネを固定している部分や周りの部分も壊れて使用が出来なくなる、老人や力の弱い子供、力の弱い人、には不向きで、それを使用するのに一苦労することもある、又一本で留めるのは少し無理で二本ないし三本を必要とするので手間が余分に掛かるなど、不便な処が沢山ありますので，その不便さを取り除く何か良い方法がないかと、思考、工夫したのが本発明である、
【発明の開示】
【発明が解決しようとする課題】
【０００３】立体式布団鋏は、うかんぶり型形状をしており、その頂点には四角形で底辺がなく中央が空洞になっており、外枠の枠と一体をなして、長方形のうかんぶり形の両側の枠の内側に、バネを巻き込む軸棒が間隔を置いて横に二本並列に並んで固定され、各軸には大きさ、太さ、強さ、厚さ、に対応できるバネを巻きつけおり、その先端には船型を縦にした表面の平面に無数の突起物のある、ある程度の厚みを持った板があり、その下部には布団を挟み易くするために角に必要な大きさの・斜円状を作っている。その型は対にも同じように出来ている。その板はバネの力によって、板と板の間に物を挟む事ができ、両板は挟む物の厚さに応じて左右に移動が出来る。外枠に穴が付いていて，バネの力によりバネを巻いている横軸がその穴を通って横にある程度はみでる形状になっている。バネの全体の大きさ、厚さ、太さ、重さによりバネの強弱は一般的に使用可能な物で出来ている。握り手の中央の空洞は握り易く、又、それを利用して、物に掛けて置く事も出来る．
市場に出回っている布団バサミは、三日月型をした物で、太くて、バネが強力の為、布団を挟むのに強く力を入れて、それに相当する幅に広げるのに、それなりの力が必要である。又、余り強く引っ張るとバネを固定している部分や、周りの部分も潰れて、使用ができなくなる、老人、力の弱い子供、力の弱い人、には不向きで、それを使用するのに一苦労する事もある。又一本で留めるのは少し無理で二本ないし三本を必要とするので、手間が余分に掛かるなど、不便な処が沢山あるので、その不便さを取り除くのに何か良い方法がないかと、思考、工夫したのが本発明である。本発明を使用事によってその様な不便を味わうことなくらくに、布団に握り手付バサミを挟みこんで握り手を押すと、本体の両側に付いている板がそれを両側から押さえるので布団がすべり落ちるのを防ぐので安心ができる。
【課題を解決をするための手段】
【０００４】立体式布団鋏は、うかんぶり型形状をしており、その頂点には四角形で底辺がなく中央が空洞になっており、外枠の枠と一体をなして、長方形のうかんぶり形の両側の枠の内側に、バネを巻き込む軸棒が間隔を置いて横に二本並列に並んで固定され、各軸には大きさ、太さ、強さ、厚さ、に対応できるバネを巻きつけおり、その先端には船型を縦にした表面の平面に無数の突起物のある、ある程度の厚みを持った板があり、その下部には布団を挟み易くするために角に必要な大きさの・斜円状を作っている。その型は対にも同じように出来ている。その板はバネの力によって、板と板の間に物を挟む事ができ、両板は挟む物の厚さに応じて左右に移動が出来る。外枠に穴が付いていて，バネの力によりバネを巻いている横軸がその穴を通って横にある程度はみでる形状になっている。バネの全体の大きさ、厚さ、太さ、重さによりバネの強弱は一般的に使用可能な物で出来ている。握り手の中央の空洞は握り易く、又、それを利用して、物に掛けて置く事も出来る．
市場に出回っている布団バサミは、三日月型をした物で、太くて、バネ強力の為、布団を挟むのに強く力を入れて、それに相当する幅に広げるのに、それなりの力が必要である。又、余り強く引っ張るとバネを固定している部分や、周りの部分も潰れて、使用ができなくなる、老人、力の弱い子供、力の弱い人、には不向きで、それを使用するのに一苦労する事もある。又一本で留めるのは少し無理で二本ないし三本を必要とするので、手間が余分に掛かるなど、不便な処が沢山あるので、その不便さを取り除くのに何か良い方法がないかと、思考、工夫したのが本発明である。本発明を使用する事によってその様な不便を味わうことなくらくに、布団に握り手付バサミを挟みこんでにぎり手を押すと、本体の両側に付いている板がそれを両側から押さえるので団がすべり落ちるのを防ぐので安心ができる。
【発明の効果】
【０００５】立体式布団鋏は、うかんぶり型形状をしており、その頂点には四角形で底辺がなく中央が空洞になっており、外枠の枠と一体をなして、長方形のうかんぶり形の両側の枠の内側に、バネを巻き込む軸棒が間隔を置いて横に二本並列に並んでおり、各軸には大きさ、太さ、強さ、厚さ、に対応できるバネを巻きつけおり、その先端には船型を縦にした表面の平面に無数の突起物のある、ある程度の厚みを持った板があり、その下部には布団を挟み易くするために角に必要な大きさの・斜円状を作っている。その型は対にも同じように出来ている。その板はバネの力によって、板と板の間に物を挟む事ができ、両板は挟む物の厚さに応じて左右に移動が出来る。外枠に穴が付いていて，バネの力によりバネを巻いている横軸がその穴を通って横にある程度はみでる形状になっている。バネの全体の大きさ、厚さ、太さ、重さによりバネの強弱は一般的に使用可能な物で出来ている。握り手の中央の空洞は握り易く、又、それを利用して、物に掛けて置く事も出来る．
市場に出回っている布団バサミは、三日月型をした物で、太くて、バネが強力の為、布団を挟むのに強く力を入れて、それに相当する幅に広げるのに、それなりの力が必要である。又、余り強く引っ張るとバネを固定している部分や、周りの部分も潰れて、使用ができなくなる、老人、力の弱い子供、力の弱い人、には不向きで、それを使用するのに一苦労する事もある。又一本で留めるのは少し無理で二本ないし三本を必要とするので、手間が余分に掛かるなど、不便な処が沢山あるので、その不便さを取り除くのに何か良い方法がないかと、思考、工夫したのが本発明である。本発明を使用する事によってその様な不便を味わうことなくらくに、布団に握り手付バサミを挟みこんでにぎり手を押すと、本体の両側に付いている板がそれを両側から押さえるので布団がすべり落ちるのを防ぐので安心ができる。
【発明を実施するための最良の形態】
【０００６】立体式布団鋏は、うかんぶり型形状をしており、その頂点には四角形で底辺がなく中央が空洞になっており、外枠の枠と一体をなして、長方形のうかんぶり形の両側の枠の内側に、バネを巻き込む軸棒が間隔を置いて横に二本並列に並んで固定され、各軸には大きさ、太さ、強さ、厚さ、に対応できるバネを巻きつけおり、その先端には船型を縦にした表面の平面に無数の突起物のある、ある程度の厚みを持った板があり、その下部には布団を挟み易くするために角に必要な大きさの・斜円状を作っている。その型は対にも同じように出来ている。その板はバネの力によって、板と板の間に物を挟む事ができ、両板は挟む物の厚さに応じて左右に移動が出来る。外枠に穴が付いていて，バネの力によりバネを巻いている横軸がその穴を通って横にある程度はみでる形状になっている。バネの全体の大きさ、厚さ、太さ、重さによりバネの強弱は一般的に使用可能な物で出来ている。握り手の中央の空洞は握り易く、又、それを利用して、物に掛けて置く事も出来る．
市場に出回っている布団バサミは、三日月型をした物で、太くて、バネ強力の為、布団を挟むのに強く力を入れて、それに相当する幅に広げるのに、それなりの力が必要である。又、余り強く引っ張るとバネを固定している部分や、周りの部分も潰れて、使用ができなくなる、老人、力の弱い子供、力の弱い人、には不向きで、それを使用するのに一苦労する事もある。又一本で留めるのは少し無理で二本ないし三本を必要とするので、手間が余分に掛かるなど、不便な処が沢山あるので、その不便さを取り除くのに何か良い方法がないかと、思考、工夫したのが本発明である。本発明を使用する事によってその様な不便を味わうことなくらくに、布団に握り手付バサミを挟みこんでにぎり手を押すと、本体の両側に付いている板がそれを両側から押さえるので布団がすべり落ちるのを防ぐので安心ができる。
【図面の簡単な説明】
【０００７】
【図１】本発明の斜視図
【図２】本発明の各部分品の斜視図
【符号の説明】
【０００８】  １    握り手
２    蒲団を挟む縦型の船型をした平面の板
３    板を左右に移動さすバネ
４    バネを巻いている横軸で板と連結している
５    物干し竿
６    布団を挟みバサミの枠
７    物干しに掛かっている布団
８    握り手と結合して下方向に向いてバネを巻いている縦軸
９    握り手と結合してバネを巻いている縦軸の先端に結合している逆三角形の弁
１０    弁が縦板の板と板の間に入り、必要な有る程度の幅を広げている
１１    バネを巻いている、横軸がバネの力により外部の枠の穴を通って外部へはみ出ている横軸
【図１】
2006334338.tif 000003
【図２】
2006334338.tif 000004